(57)【要約】【課題】内容物を注出するときに、不意に勢いよく多量の内容物が注出されてしまうことを抑制することができる容器を提供する。【解決手段】容器内容物を注出するための注出口が頂部に形成される容器１は、２つの可撓性シート３を成形することによって形成される。この容器は、容器の外面Ｆ１に設けられており、容器の内部に向かって押し込んで容器内容物を注出口から注出する押出部１１と、注出口と押出部との間に設けられた、押出部を押し込んで容器内容物を注出口から注出するときに容器内容物に伝達された圧力を緩衝する緩衝部１３とを備える。【選択図】図１
2017013842.tif 000002
【特許請求の範囲】
【請求項１】
容器内容物を注出するための注出口が頂部に形成される、２つの可撓性シートを成形することによって形成される容器であって、
前記容器の外面に設けられており、前記容器の内部に向かって押し込んで前記容器内容物を前記注出口から注出する押出部と、
前記注出口と前記押出部との間に設けられた、前記押出部を押し込んで前記容器内容物を前記注出口から注出するときに前記容器内容物に伝達された圧力を緩衝する緩衝部と、
を備える、
容器。
【請求項２】
前記緩衝部は、前記可撓性シートが平坦に形成されている平坦部と、前記可撓性シートを屈曲させたことによって前記平坦部を包囲するように形成されている屈曲部とを含み、
前記緩衝部は、前記押出部を押し込んで前記容器内容物を前記注出口から注出するときに、前記平坦部が前記容器の外側に向かって膨らむことによって前記容器内容物に伝達する圧力を緩衝する、
請求項１に記載の容器。
【請求項３】
前記押出部は、所定の力で前記容器の内部に向かって押し込んだときに、前記緩衝部よりも変形が大きい、
請求項１又は２に記載の容器。
【請求項４】
前記押出部は、前記可撓性シートのシート形状から屈曲部分が形成されることなく膨出するように形成されている、
請求項３に記載の容器。
【請求項５】
前記押出部及び前記緩衝部は、前記容器の外側に向かって膨出しており、
前記押出部及び前記緩衝部の境界部分には、前記容器の内部に窪んでいる窪み部が形成されている、
請求項１〜４のいずれか１項に記載の容器。
【請求項６】
前記容器内容物は、粘度が０．０２Ｐａ・ｓ〜５．０Ｐａ・ｓの液体である、
請求項１〜５のいずれか１項に記載の容器。
【請求項７】
前記容器は、ブロー成形によって形成される、
請求項１〜６のいずれか１項に記載の容器。
【発明の詳細な説明】
【技術分野】
【０００１】
本発明は、流動体を充填する容器であって、当該容器の表面を押し込んで内容物を注出する容器に関する。
【背景技術】
【０００２】
従来、インキ、薬品、化粧品や醤油、ソース等の調味液などの流動体が内部に充填されている、ねじ切ることによって注出口（口部）を形成するツイストオフ口部を頂部に備える、少容量のチューブ容器が開示されている（特許文献１参照）。
【先行技術文献】
【特許文献】
【０００３】
【特許文献１】特開２００２−３２１７５０号公報
【発明の概要】
【発明が解決しようとする課題】
【０００４】
このように成形された容器は、成形後の形状を自由に設計できる一方で、当該形状を維持するため、容器を形成する材料に一定の強度を持たせてある。そのため、少量の内容物を注出するような場合において、上述のように一定の強度を有する容器を手指によって押し込むために、不意に力が入り過ぎてしまう場合がある。その結果、勢いよく多量の内容物が不意に注出されて適量の内容物を注出することができず、さらには内容物が飛散してしまい周囲を汚してしまうおそれがあった。
【０００５】
したがって、本発明の目的は、内容物を注出するときに、不意に勢いよく多量の内容物が注出されてしまうことを抑制することができる容器を提供することにある。
【課題を解決するための手段】
【０００６】
請求項１の発明によれば、容器内容物を注出するための注出口が頂部に形成される、２つの可撓性シートを成形することによって形成される容器であって、前記容器の外面に設けられており、前記容器の内部に向かって押し込んで前記容器内容物を前記注出口から注出する押出部と、前記注出口と前記押出部との間に設けられた、前記押出部を押し込んで前記容器内容物を前記注出口から注出するときに前記容器内容物に伝達された圧力を緩衝する緩衝部とを備える、容器を提供することができる。
【０００７】
すなわち、請求項１の発明では、押出部を押し込んで容器から容器内容物を注出するときに不意に力が入り過ぎてしまった場合においても、緩衝部が容器内容物に伝達された圧力を緩衝することができる。その結果、不意に勢いよく多量の内容物が注出されることが抑制されて適量の内容物を注出することができる。さらには、内容物が飛散してしまい周囲を汚してしまうことを抑制することができる。
【０００８】
請求項２の発明によれば、前記緩衝部は、前記可撓性シートが平坦に形成されている平坦部と、前記可撓性シートを屈曲させたことによって前記平坦部を包囲するように形成されている屈曲部とを含み、前記緩衝部は、前記押出部を押し込んで前記容器内容物を前記注出口から注出するときに、前記平坦部が前記容器の外側に向かって膨らむことによって前記容器内容物に伝達する圧力を緩衝する、請求項１に記載の容器を提供することができる。
【０００９】
すなわち、請求項２の発明では、容器から内容物を注出するために押出部を押し込んで内容物に圧力が付与されたときに、平坦部が容器の外側に変形することができ、それにより内容物に付与された圧力が緩和される。その結果、押出部を押し込む力が不意に大きくなってしまった場合においても、勢いよく多量の内容物が不意に注出されることが抑制されて、適量の内容物を注出することができる。さらには、内容物が飛散してしまい周囲を汚してしまうことを抑制することができる。
【００１０】
請求項３の発明によれば、前記押出部は、所定の力で前記容器の内部に向かって押し込んだときに、前記緩衝部よりも変形が大きい、請求項１又は２に記載の容器を提供することができる。さらに、請求項４の発明によれば、前記押出部は、前記可撓性シートのシート形状から屈曲部分が形成されることなく膨出するように形成されている、請求項３に記載の容器を提供することができる。
【００１１】
すなわち、請求項３及び４の発明では、容器内容物を容器から注出するときに、緩衝部が押出部よりも変形しにくいので、誤って緩衝部を押し込んでしまい、内容物に付与された圧力を緩和するという緩衝部の機能が作用しなくなることを抑制することができる。
【００１２】
請求項５の発明によれば、前記押出部及び前記緩衝部は、前記容器の外側に向かって膨出しており、前記押出部及び前記緩衝部の境界部分には、前記容器の内部に窪んでいる窪み部が形成されている、請求項１〜４のいずれか１項に記載の容器を提供することができる。
【００１３】
すなわち、請求項５の発明では、窪み部によって押出部と緩衝部とが分離されて、押出部を押し込むときに緩衝部に押圧力が作用することが抑制される。
【００１４】
請求項６の発明によれば、前記容器内容物は、粘度が０．０２Ｐａ・ｓ〜５．０Ｐａ・ｓの液体である、請求項１〜５のいずれか１項に記載の容器を提供することができる。
【００１５】
請求項７の発明によれば、前記容器は、ブロー成形によって形成される、請求項１〜６のいずれか１項に記載の容器を提供することができる。
【発明の効果】
【００１６】
本発明の容器によれば、容器内容物に伝達された圧力を緩衝することができる緩衝部が押出部と注出口との間に設けられているので、不意に勢いよく多量の内容物が注出されて適量の内容物を注出することができず、さらには内容物が飛散してしまい周囲を汚してしまうことを抑制することができる。
【図面の簡単な説明】
【００１７】
【図１】本発明の実施形態に係る容器の正面図。
【図２】本発明の実施形態に係る容器の背面図。
【図３】本発明の実施形態に係る容器の側面図。
【図４】本発明の実施形態に係る容器の正面斜視図。
【発明を実施するための形態】
【００１８】
これより、上述の図１〜４を参照しつつ、本発明の実施形態に係る容器について説明する。本実施形態に係る容器１は、豆腐料理用調味液を充填するものである。また、当該容器１では、容器１の頂部に形成されているツイストオフ部５を切り口７においてねじり切ることによって形成される注出口（図示しない）から、内容物を注出することができる。
【００１９】
本実施形態に係る容器１は、正面Ｆ１及び背面Ｆ２を形成する、無軸延伸ポリプロピレン（外層）／ポリプロピレン（中層１）／エチレン・ビニルアルコール共重合体（中層２）／ポロプロピレン（中層３）／ポリエチレン（内層）から形成された２つの可撓性シート３をブロー成形することによって形成されるものである。具体的には、注出口を残して容器１の周囲を熱シール等によって接合して、金型内において注出口から圧縮空気を吹込んで金型の内部形状になるように容器１を成形する。その後、容器１の内部に内容物を充填して、注出口を密閉するように接合することによって、内容物が内部に充填された容器１が製造される。
【００２０】
本実施形態に係る容器１には、正面Ｆ１を形成する可撓性シート３に、容器１の内部に向かって押し込んで内容物を注出口から注出する押出部１１と、注出口と押出部１１との間に設けられた緩衝部１３とを備える。緩衝部１３は、押出部１１を押し込んで内容物を注出口から注出するときに、後述する機構によって、容器内容物に伝達された圧力を緩和する役割をする部分である。図に示されているように、押出部１１は容器１の下部に形成されており、緩衝部１３は容器１の上部に形成されている。
【００２１】
本実施形態では、押出部１１及び緩衝部１３は、容器１の正面Ｆ１を形成する可撓性シート３を正面Ｆ１側に膨出させることによって形成されているものである。図に示されているように、押出部１１及び緩衝部１３は別々に膨出しており、そのため押出部１１と緩衝部１３との境界部分には、容器１の内部に向かって屈曲しつつ窪んでいる窪み部１５が形成されている。本実施形態に係る容器１では、窪み部１５によって押出部１１と緩衝部１３とが分離されて、押出部１１を押し込むときに緩衝部１３に押圧力が作用することが抑制される。
【００２２】
緩衝部１３は、可撓性シート３が平坦に形成されている平坦部１３Ｆと、可撓性シート３を屈曲させたことによって平坦部１３Ｆを包囲するように形成されている屈曲部１３Ｂとを含む。本実施形態に係る容器１は上述のようにブロー成形によって形成されており、それにより容器１自体に一定の強度を持たせるために、容器１を形成する材料である可撓性シート３に一定の強度を持たせてある。そのため、屈曲部１３Ｂは他の部分よりも変形し難くなっている。これに対して、平坦部１３Ｆは力が付与されると、その形状に起因して、平坦部１３Ｆが形成する面に対して垂直な方向に変形し易くなっている。
【００２３】
このような押出部１１と注出口との間に設けられている緩衝部１３の構成によって、内容物を容器１から注出するため押出部１１を押し込んで内容物に圧力が付与されたときに、平坦部１３Ｆが容器１の外側に変形することができ、それにより内容物に付与された圧力が緩和される。その結果、押出部１１を押し込む力が不意に大きくなってしまった場合においても、内容物が注出口から不意に勢いよく多量の内容物が注出されることが抑制されて適量の内容物を注出することができる。さらには、内容物が飛散してしまい周囲を汚してしまうことが抑制される。
【００２４】
また、緩衝部１３が屈曲部１３Ｂを含むことにより、緩衝部１３を押し込んだとしても屈曲部１３Ｂの形状により変形し難い。その一方で、押出部１１は、可撓性シート３の成形前のシート形状から、緩衝部１３の屈曲部１３Ｂのような屈曲部分が形成されることなく、滑らかかつ連続的に膨出するように形成されている。そのため、押出部１１は、所定の力で容器１の内部に向かって押し込むと、緩衝部１３よりも押し込み易く変形が大きくなる。その結果、内容部を注出するときに、緩衝部１３が押出部１１よりも変形しにくいので、誤って緩衝部１３を押し込んでしまい、内容物に付与された圧力を緩和するという緩衝部１３の機能が作用しなくなることを抑制することができる。
【００２５】
本実施形態では、内容物は常温よりも高い温度で容器１に充填され、その直後に密閉される（ホットパック充填）。そのため、内容物が冷却されて容器１が収縮することができるように、容器１の背面Ｆ２には、凹リブ１７が形成されている。
【００２６】
また、本実施形態の容器１では、押出部１１及び緩衝部１３は容器１の正面Ｆ１のみに形成されているが、背面Ｆ２に形成されていてもよいし、正面Ｆ１及び背面Ｆ２の両方に形成されていてもよい。あるいは、押出部１１が正面Ｆ１及び背面Ｆ２の一方に形成されて、緩衝部１３が正面Ｆ１及び背面Ｆ２の他方に形成されていてもよい。なお、正面Ｆ１及び背面Ｆ２の両方に押出部１１及び緩衝部１３が形成される場合は特に、凹リブ１７を容器１の底面に形成してもよい。
【００２７】
さらに、本実施形態の容器１は、上述のように緩衝部１３は平坦部１３Ｆと屈曲部１３Ｂとを含む形態となっているが、本発明はこの態様に限定されるものではない。本発明では、緩衝部は、内容物を注出するときに内容物に付与される圧力を緩和できる形態でれば、どのような機構や形状を有するものであってもよい。
【００２８】
また、押出部１１は、緩衝部１３の屈曲部１３Ｂのような屈曲部分が形成されることなく、成形前のシート形状から滑らかかつ連続的に膨出するように形成されているが、本発明ではこの態様に限定されるものではない。押出部は、押し込まれたときに緩衝部よりも変形し易い構成であれば、どのようなものであってもよい。
【００２９】
本実施形態に係る容器の内容物は良好な注出性を奏する観点から、好ましくは、粘度が０．０２Ｐａ・ｓ〜５．０Ｐａ・ｓの液体である豆腐料理用調味液であったが、本発明はこれに限定されるものではない。例えば、内容物は、液体調味料、鍋つゆ、麺つゆ、清涼飲料水、ゼリー等の流動体の食品であってもよい。また、内容物は例えば、インク、墨汁、ローション、乳液、化粧水等の食品ではない流動体であってもよい。なお、本実施形態に係る容器は、あらゆる粘度の流動体を充填することができる。
【００３０】
また、可撓性シート３は、本実施形態では無軸延伸ポリプロピレン（外層）／ポリプロピレン（中層１）／エチレン・ビニルアルコール共重合体（中層２）／ポロプロピレン（中層３）／ポリエチレン（内層）から形成されているが、本発明はこれに限定されるものではない。本発明では例えば、無軸延伸ポリプロピレン（外層）／ポリエチレンテレフタレート（中層１）／エチレン・ビニルアルコール共重合体（中層２）／ポロプロピレン（中層３）／ポリエチレン（内層）や、無軸延伸ポリプロピレン（外層）／ポリプロピレン（中層１）／エチレン・ビニルアルコール共重合体（中層２）／ポロプロピレン（中層３）／直鎖状低密度ポリエチレン（内層）、無軸延伸ポリプロピレン（外層）／ポリプロピレン（中層）／ポリエチレン（内層）、無軸延伸ポリプロピレン（外層）／ポリプロピレン／直鎖状低密度ポリエチレン（内層）、無軸延伸ポリプロピレン（外層）／ポリエチレンテレフタレート（中層１）／エチレン・ビニルアルコール共重合体（中層２）／ポリエチレンテレフタレート（中層３）／ポリエチレン（内層）、無軸延伸ポリプロピレン（外層）／ポリエチレンテレフタレート（中層）／ポリエチレン（内層）等を可撓性シート３の素材として使用することができる。
【００３１】
本実施形態に係る容器は、ブロー成形によって形成されたが、本発明はこれに限定されるものではない。可撓性シートから、形状を維持できる程度の強度有しつつ所望の形状に容器を成形できる容器の成形方法であれば、他のどのような成形方法を用いて本発明に係る容器を成形してもよい。
【符号の説明】
【００３２】
１    容器
１１    押出部
１３    緩衝部
１３Ｂ    屈曲部
１３Ｆ    平坦部
１５    窪み部
【図１】
2017013842.tif 000003
【図２】
2017013842.tif 000004
【図３】
2017013842.tif 000005
【図４】
2017013842.tif 000006